(57)【要約】【課題】タブレット型携帯端末をよりカスタマイズ性・オリジナル性に優れたものにする。【解決手段】本発明の携帯端末システムは、タブレット型の携帯端末と、携帯端末に装着される保護用カバーと、を有する。携帯端末は、保護用カバーが装着されると、保護用カバーが装着された状態での携帯端末の外観および機能の少なくとも一方を変化させる機能を有する。【選択図】図３
2012156934.tif 000002
【特許請求の範囲】
【請求項１】
タブレット型の携帯端末と、前記携帯端末に装着される保護用カバーと、を有してなる携帯端末システムであって、
前記携帯端末は、
前記保護用カバーが装着されると、前記保護用カバーが装着された状態での前記携帯端末の外観および機能の少なくとも一方を変化させる機能を有する、携帯端末システム。
【請求項２】
前記保護用カバーは、
前記保護用カバーのデザインに応じて、前記保護用カバーが装着された状態での前記携帯端末の外観および機能の少なくとも一方を変化させる手段をダウンロードするためのサイトのＵＲＬを格納する記憶部と、
前記携帯端末に装着されると、前記記憶部に格納された前記ＵＲＬを前記携帯端末に送信するカバー側近距離無線通信部と、を含み、
前記携帯端末は、
前記保護用カバーから前記ＵＲＬを受信する端末側近距離無線通信部と、
前記ＵＲＬに従って前記サイトに接続し、前記サイトから前記手段をダウンロードする無線通信部と、
前記サイトからダウンロードした前記手段を用いて、前記保護用カバーが装着された状態での前記携帯端末の外観および機能の少なくとも一方を変化させる制御部と、を含む請求項１に記載の携帯端末システム。
【請求項３】
前記無線通信部は、
前記サイトから待受画像を前記手段としてダウンロードし、
前記制御部は、
前記サイトからダウンロードした前記待受画像を前記携帯端末の表示部に表示する、請求項２に記載の携帯端末システム。
【請求項４】
前記無線通信部は、
前記サイトからユーザインタフェースを前記手段としてダウンロードし、
前記制御部は、
前記サイトからダウンロードした前記ユーザインタフェースを前記携帯端末の表示部に表示し、以降、当該ユーザインタフェースで入力操作を受け付ける、請求項２に記載の携帯端末システム。
【請求項５】
前記無線通信部は、
前記サイトからイルミネーションの点灯パターンを前記手段としてダウンロードし、
前記制御部は、
前記サイトからダウンロードした前記点灯パターンで前記携帯端末にイルミネーションを点灯させる、請求項２に記載の携帯端末システム。
【請求項６】
タブレット型の携帯端末と、前記携帯端末に装着される保護用カバーと、を有してなる携帯端末システムによる携帯端末の制御方法であって、
前記携帯端末が、前記保護用カバーが装着されると、前記保護用カバーが装着された状態での前記携帯端末の外観および機能の少なくとも一方を変化させる制御方法。
【発明の詳細な説明】
【技術分野】
【０００１】
本発明は、タブレット型の携帯端末を制御する技術に関する。
【背景技術】
【０００２】
近年、スマートフォン等のタブレット型携帯端末が各社から数多く発売され始めているが、デザインは殆ど各社同様であり、遠目では区別ができなくなっている。
【０００３】
そのため、ユーザは、オリジナル性に優れたタブレット型携帯端末を求めている。
【０００４】
一方で、タブレット型携帯端末は、ヒンジ面が無く、フラットな部分が多いため、筐体が傷付き易い。そのため、筐体の傷防止用に保護用カバーも数多く発売され始めている（一般的な保護用カバーについては特許文献１〜３を参照）。
【０００５】
また、最近は、上述のユーザの要求を満たすべく、タブレット型携帯端末の保護用カバーとして、個性的なデザインを施したものも発売され始めている。
【先行技術文献】
【特許文献】
【０００６】
【特許文献１】特開２００８−０４８０７１号公報
【特許文献２】特開２０１０−１２２４８１号公報
【特許文献３】特表２００９−５２５５０６号公報
【発明の概要】
【発明が解決しようとする課題】
【０００７】
上述のように、最近は、タブレット型携帯端末の保護用カバーとして、個性的なデザインを施したものが発売され始めている。
【０００８】
しかし、ユーザの中には、例えば、表示部の表示内容も、保護用カバーのデザインに合わせて、個々に変化させることで、よりカスタマイズ性・オリジナル性に優れたタブレット型携帯端末を要求する者もいると考えられる。
【０００９】
そこで、本発明は、タブレット型携帯端末を、よりカスタマイズ性・オリジナル性に優れたものにすることができる携帯端末システム、制御方法を提供することを目的とする。
【課題を解決するための手段】
【００１０】
本発明の携帯端末システムは、
タブレット型の携帯端末と、前記携帯端末に装着される保護用カバーと、を有してなる携帯端末システムであって、
前記携帯端末は、
前記保護用カバーが装着されると、前記保護用カバーが装着された状態での前記携帯端末の外観および機能の少なくとも一方を変化させる機能を有する。
【００１１】
本発明の携帯端末の制御方法は、
タブレット型の携帯端末と、前記携帯端末に装着される保護用カバーと、を有してなる携帯端末システムによる携帯端末の制御方法であって、
前記携帯端末が、前記保護用カバーが装着されると、前記保護用カバーが装着された状態での前記携帯端末の外観および機能の少なくとも一方を変化させる。
【発明の効果】
【００１２】
本発明によれば、保護用カバーのデザインに応じて、保護用カバーが装着された状態でのタブレット型携帯端末の外観および機能の少なくとも一方を変化させるため、タブレット型携帯端末を、よりカスタマイズ性・オリジナル性に優れたものにすることができるという効果が得られる。
【図面の簡単な説明】
【００１３】
【図１】本発明の一実施形態のタブレット型携帯端末の構成を示すブロック図である。
【図２】本発明の一実施形態の保護用カバーの構成を示すブロック図である。
【図３】本発明の一実施形態の携帯端末システムの動作を説明するフローチャートである。
【図４】本発明の一実施形態のタブレット型携帯端末に保護用カバーが装着された状態で待受画像を表示しているイメージ例を示す図である。
【発明を実施するための形態】
【００１４】
以下に、本発明を実施するための形態について図面を参照して説明する。
【００１５】
まず、本発明の一実施形態のタブレット型携帯端末１００の構成について説明する。
【００１６】
タブレット型携帯端末１００は、プログラム制御により動作する通信機能（電話機能、メール機能、インターネット（ｗｅｂ）接続機能）や、ＴＶ放送受信機能等を備えた携帯情報処理装置である。
【００１７】
図１に示すように、タブレット型携帯端末１００は、無線通信部１０１と、表示部１０２と、近距離無線通信部１０３と、操作部１０４と、制御部１０５と、カメラ部１０６と、記憶部１０７と、音声処理部１０８と、辞書部１０９と、スピーカ１１０と、測位部１１１と、マイク１１２と、を有している。
【００１８】
無線通信部１０１は、アンテナを介して無線通信を行う。なお、無線通信部１０１は、ＷＣＤＭＡ（Wideband Code Division Multiple Access）、ＣＤＭＡ−２０００、ＷＬＡＮ（Wireless Local Area Network）、ＷｉＭＡＸ（Worldwide Interoperability for Microwave Access）、ＧＳＭ（Global System for Mobile Communications）、ＰＨＳ（Personal Handyphone System）等の複数の通信システムにそれぞれ対応する複数の無線モジュールにより構成されていてもよい。
【００１９】
近距離無線通信部１０３は、アンテナを介してＦｅｌｉｃａ（登録商標）等の近距離無線通信を行う。
【００２０】
カメラ部１０６は、画像の取得（撮影）を行う。
【００２１】
マイク１１２は、音声の取得（集音）を行う。
【００２２】
スピーカ１１０は、音声の出力を行う。
【００２３】
音声処理部１０８は、送話部（マイク１１２）および受話部（スピーカ１１０）を介して入出力された音声の処理を行う。
【００２４】
表示部１０２は、画像、図形、文字、記号などの表示（映像信号処理）を行う表示機能や、圧力や静電容量等の方式によりユーザの入力操作を感知するスイッチ機能を備えたタッチパネル（タッチスクリーン）である。
【００２５】
操作部１０４は、ユーザによりスイッチの押下等の入力操作が行われる。
【００２６】
測位部１１１は、図示しないＧＰＳ（Global Positioning System）衛星から電波が発射された時間と、その電波がタブレット型携帯端末１００に到達した時間との時間差を測定し、この時間差からＧＰＳ衛星とタブレット型携帯端末１００との距離を求め、この距離を利用してブレット型携帯端末１００の現在位置の位置座標を求める。
【００２７】
記憶部１０７は、電話帳情報、送受信メール情報、発着呼情報、コンテンツ情報、アプリケーションプログラム情報、撮影画像、および、タブレット型携帯無線端末１００の諸設定等を格納する。
【００２８】
辞書部１０９は、辞書データを格納する。
【００２９】
制御部１０５は、電話機能、メール機能、インターネット（ｗｅｂ）接続機能、カメラ機能、ＴＶ放送受信機能、コンテンツ再生機能等、タブレット型携帯端末１００が有する機能の制御や、各部の制御を行う。
【００３０】
次に、本発明の一実施形態の保護用カバー２００の構成について説明する。
【００３１】
保護用カバー２００は、タブレット型携帯端末１００に装着され、タブレット型携帯端末１００の筐体の傷を防止するためのカバーである。
【００３２】
図２に示すように、保護用カバー２００は、近距離無線通信部２０１と、記憶部２０２と、制御部２０３と、を有している。
【００３３】
近距離無線通信部２０１は、アンテナを介してＦｅｌｉｃａ等の近距離無線通信を行う。
【００３４】
記憶部２０２は、保護用カバー２００の諸設定等を格納する。
【００３５】
制御部２０３は、保護用カバー２００が有する機能の制御や各部の制御を行う。
【００３６】
本実施形態においては、タブレット型携帯端末１００の近距離無線通信部１０３と保護用カバー２００の近距離無線通信部２０１とが、Ｆｅｌｉｃａ等の近距離無線通信を行う。
【００３７】
これを実現するため、例えば、ＦｅｌｉｃａのＩＣカードを図２の各部によって構成し、タブレット型携帯端末１００の近距離無線通信部１０３にＦｅｌｉｃａのリーダー／ライターの機能を備えさせる。保護用カバー２００のタブレット型携帯端末１００への装着時には、両者の接近に伴い、タブレット型携帯端末１００の近距離無線通信部１０３からの電波により図２の各部が起動され、これにより、近距離無線通信部１０３と近距離無線通信部２０１との近距離無線通信が実現可能になる。
【００３８】
なお、図２の各部は、上記の機能を実現できれば、保護用カバー２００のどの部分に取り付けられても構わない。
【００３９】
以下、図１に示したタブレット型携帯端末１００と図２に示した保護用カバー２００とからなる携帯端末システムの動作について、図３のフローチャートを参照して説明する。
【００４０】
図３に示すように、ユーザがタブレット型携帯端末１００に保護用カバー２００を装着すると（ステップＳ３０１）、これを保護カバー２００の制御部２０３が検知する。
【００４１】
装着を検知する方法としては、例えば、上述したＦｅｌｉｃａの例では、タブレット型携帯端末１００の近距離無線通信部１０３からの電波により図２の各部が起動されたことをもって、装着と検知してもよい。また、装着を検知可能なセンサを設けてもよい。
【００４２】
ここで、保護カバー２００の記憶部２０２には、保護用カバー２００のデザインに応じた待受画像専用のダウンロードサイトのＵＲＬ（Uniform Resource Locator）が予め格納されている。
【００４３】
そのため、ステップＳ３０１において、保護用カバー２００のタブレット型携帯端末１００への装着が検知されると、保護カバー２００の近距離無線通信部２０１は、記憶部２０２に格納されたＵＲＬをタブレット型携帯端末１００へ送信し、このＵＲＬをタブレット型携帯端末１００の近距離無線通信部１０３が受信する（ステップＳ３０２）。
【００４４】
次に、タブレット型携帯端末１００の制御部１０５は、入手したＵＲＬが示すダウンロードサイトへの接続許可をユーザへ促す画面を表示部１０２に表示し、ユーザが許可した場合は（ステップＳ３０３）、無線通信部１０１は、入手したＵＲＬに従ってダウンロードサイトへ接続する（ステップＳ３０４）。
【００４５】
次に、タブレット型携帯端末１００の制御部１０５は、ダウンロードサイトからの待受画像のダウンロード許可をユーザへ促す画面を表示部１０２に表示し、ユーザが許可した場合は（ステップＳ３０５）、無線通信部１０１は、ダウンロードサイトから待受画像をダウンロードする（ステップＳ３０６）。
【００４６】
次に、タブレット型携帯端末１００の制御部１０５は、ダウンロードした待受画像への切り替え許可をユーザへ促す画面を表示部１０２に表示し、ユーザが許可した場合は（ステップＳ３０７）、ダウンロードした待受画像を表示部１０２に表示する（ステップＳ３０８）。図４に、タブレット型携帯端末１００に保護用カバー２００が装着された状態で待受画像を表示しているイメージ例を示す。
【００４７】
以上、実施形態を参照して本発明を説明したが、本発明は上記実施形態に限定されるものではない。本発明の構成や詳細には、本発明の範囲内で当業者が理解し得る様々な変更をすることができる。
【００４８】
例えば、本実施形態においては、保護用カバー２００のデザインに応じた待受画像をダウンロードし、この待受画像を表示することで、保護用カバー２００が装着された状態でのタブレット型携帯端末１００の外観を変化させる例について説明したが、本発明はこれに限定されない。
【００４９】
本発明は、保護用カバー２００のデザインに応じて、保護用カバー２００が装着された状態でのタブレット型携帯端末１００の外観および機能の少なくとも一方を変化させる手段をダウンロードし、この手段を用いて、保護用カバー２００が装着された状態でのタブレット型携帯端末１００の外観および機能の少なくとも一方を変化させるものであればよい。
【００５０】
例えば、保護用カバー２００のデザインに応じたユーザインタフェースをダウンロードし、このユーザインタフェースを表示することで、保護用カバー２００が装着された状態でのタブレット型携帯端末１００の外観を変化させるとともに、以降、このユーザインタフェースで入力操作を受け付けることで、保護用カバー２００が装着された状態でのタブレット型携帯端末１００の機能を変化させてもよい。
【００５１】
また、保護用カバー２００に応じたイルミネーションの点灯パターンをダウンロードし、この点灯パターンでタブレット型携帯端末１００の任意の箇所にイルミネーションを点灯させることで、保護用カバー２００が装着された状態でのタブレット型携帯端末１００の外観を変化させてもよい。
【００５２】
また、上述した待受画像、ユーザインタフェース、イルミネーションの点灯パターンの２つ以上をダウンロードし、変化させてもよい。この場合、ダウンロード先は、同一のダウンロードサイトでもよいし、別々のダウンロードサイトでもよい。後者の場合は、保護用カバー２００からタブレット型携帯端末１００に対し、各々のダウンロードサイトのＵＲＬを送信することになる。
【００５３】
上述したように本実施形態においては、保護用カバー２００のデザインに応じて、保護用カバー２００が装着された状態でのタブレット型携帯端末１００の待受画像、ユーザインタフェース、イルミネーションの点灯パターン等を変化させる。
【００５４】
したがって、保護用カバー２００のデザインに応じて、保護用カバー２００が装着された状態でのタブレット型携帯端末１００の外観や機能を変化させることができるため、タブレット型携帯端末１００を、よりカスタマイズ性・オリジナル性に優れたものにすることができるという効果が得られる。
【符号の説明】
【００５５】
１００    タブレット型携帯端末
１０１    無線通信部
１０２    表示部
１０３    近距離無線通信部
１０４    操作部
１０５    制御部
１０６    カメラ部
１０７    記憶部
１０８    音声処理部
１０９    辞書部
１１０    スピーカ
１１１    測位部
１１２    マイク
２００    保護用カバー
２０１    近距離無線通信部
２０２    記憶部
２０３    制御部
【図１】
2012156934.tif 000003
【図２】
2012156934.tif 000004
【図３】
2012156934.tif 000005
【図４】
2012156934.tif 000006